(57)【要約】【課題】  円弧状ラインの表示描出は著しく向上したが、それでも一定の貼り付け結果を得るためにはある程度の経験と技術を要している。そこで、従来品のラインテープ貼り付け器をも活用可能で、更に使い勝手が良くその上容易に且つ綺麗に正確にできようにするため特別な支持器を考案し提供するものである。【解決手段】  回動自在な機能を有するとともに、下端部には吸盤のような着脱自在な固定手段を備えた支持基体Ａと、適宜長な複数の支持アームを接続してその長さを調節可能とし、第一支持アームが前記支持基体Ａに取り付けられる支持アーム群Ｂと、  両側に回動自在な輪を設けるとともに、前記支持アーム郡Ｂに取り付け固定する手段を有した円軌道体Ｃとから構成し、また、支持基体Ａに取付けられ、該体と一体的に回動する長さを調節可能とした各支持アームをアルミニュームの角パイプ状で形成して課題解決の手段としている。【選択図】図３
0003120722.tif 000002
【実用新案登録請求の範囲】
【請求項１】
回動自在な機能を有するとともに、下端部には吸盤のような着脱自在な固定手段を備えた支持基体Ａと、
適宜長の複数の支持アームを接続してその長さを調節可能とし、第一支持アームが前記支持基体Ａに取付けられる支持アーム群Ｂと、
両側に回動自在な輪を設けるとともに、前記支持アーム群Ｂの支持アームに取付け固定する手段を有した円軌道体Ｃとから構成されたことを特徴とするラインテープ貼り付け器の支持器。
【請求項２】
支持基体Ａに取付けられ、該体と一体的に回動する長さを調節可能とした支持アーム群の各アームがアルミニュームの角パイプ状であることを特徴とする請求項１記載のラインテープ貼り付け器の支持器。
【考案の詳細な説明】
【技術分野】
【０００１】  本考案は主として学校や地域の施設の体育館などで、バレーボールやバスケットボール等の運動競技用コートの区画表示のため、床面にテープを貼り付けるラインテープ貼り付け器を円滑に作動させ、円弧状のラインを綺麗に貼り付けられるようにするための支持器に関するものである。
【背景技術】
【０００２】  屋内の運動競技コートに、各競技の区画表示のため床面にテープを貼り付けるラインテープ貼り付け器は、例えば実開昭５７−２００２６０号や実開昭５９−４８６６８号などが知られている。
しかしながら、これらの考案では円弧状ラインを正確に且つ綺麗に表示描出することが困難であることから、出願人は実開平０１−５４５８７号や意匠登録第７６９０９０号を考案・創作している。
【考案の開示】
【考案が解決しようとする課題】
【０００３】  前記出願人の考案・創作によって、従来品に比し円弧状ラインの表示描出は著しく向上した。がしかし、一定の貼り付け結果を得るためにはある程度の経験と技術を要していた。
そこで、従来品のラインテープ貼り付け器も活用可能で、更に使い勝手が良く、その上容易に且つ綺麗にそして正確にできるようにと、新たな支持器を考案して課題を解決しようとするものである。
【課題を解決するための手段】
【０００４】  上記目的を達成するため本考案は、新たな又は従来のラインテープ貼り付け器を取り付け可能にして前記課題の解決を図る支持具を提供するものである。具体的には、
回動自在な機能を有するとともに、下端部には吸盤のような着脱自在な固定手段を備えた支持基体Ａと、適宜長の複数からなる支持アームを接続してその長さを調節可能とし、第一支持アームが前記支持基体Ａに取り付けられる支持アーム群Ｂと、
両側に回動自在な輪を設けるとともに、前記支持アームＢに取り付け固定する手段を有した円軌道体Ｃとから構成し、また、支持本体Ａに取付けられ、該体と一体的に回動する長さを調節可能とした各支持アームをアルミニュームの角パイプ状で形成していることを特徴とするラインテープ貼り付け器の支持器である。
【考案の効果】
【０００５】  本考案は、回動自在な機能を有するとともに、下端部には吸盤のような着脱自在な固定手段を備えた支持基体Ａと、適宜長の複数の支持アームを接続してその長さを調節可能とし、第一支持アームが前記支持基体Ａに取り付けられる支持アーム群Ｂと、両側に回動自在な輪を設けるとともに、前記支持アームＢに取り付け固定する手段を有した円軌道体Ｃから構成し、また、支持基体Ａに取付けられ、該体と一体的に回動する長さを調節可能ととした各支持アームをアルミニュームの角パイプ状で形成している事を特徴とするラインテープ貼り付け器の支持器であるから、以下の効果を奏する。【０００６】  支持基体Ａの下部には例えば吸盤のような着脱自在な固定盤を備えているので、床面との係止固定状態は良好であるばかりでなく、該体と同時回転する支持アーム及び円軌道体の回動が円滑に行われるので、本考案の支持器に取り付けられるラインテープ貼り付け器もまた円滑に回動する。【０００７】  別体で公知の従来品ラインテープ貼り付け器も、本考案の支持器に適宜な固定手段を講じて支持アーム群Ｂの先端部に取り付ければ、支持基点が安定しているので、綺麗な円弧状ラインの表示描出が可能である。
【考案を実施するための最良の形態】
【０００８】  本考案のラインテープ貼り付け器の支持器は主要な三つの部材から構成されていて、第一の部材は、円弧状ラインを正確に且つ綺麗に表示描出する回転支点の役目を果たす支持基体Ａで、下方に鍔部２を一体的に備えた支持本体１と、この鍔部２の下方に、設置床面と支持基体Ａを係止固定する例えば吸盤のような固定盤３とで形成されていて、この固定盤３から上に位置する鍔部２と支持本体１は回動自在な機能を有している。【０００９】  第二の部材は、前記支持基体Ａに挿入して取付けられ該体Ａと一体で回動する支持アーム群Ｂで、このアーム群Ｂはその長さを一定長の範囲内で調節可能にするため、符号１０の第一支持アーム、符号１３の第二支持アーム、符号１６の第三支持アーム、符号１９の第四支持アームと複数の支持アームを接続して形成されている。
これらの各アーム側面の必要適宜所には、接続固定するための固定用孔１２，１４，１７，が貫設されている他、上面の必要適宜所には貫通の固定用の天孔１１，１５，１８も設けられていて、これらの各支持アームはアルミニュームの角パイプ材を用いて軽量化を図り取扱いを容易にしている。【００１０】  円軌道体Ｃを支持アームに取り付けるには、支持アーム群Ｂ最端の第四支持アームを支持用横孔２５に挿通して、固定用天縦孔２４からボルトなどの適宜な固定手段で、アームに一体的に取り付けられる。
この円軌道体Ｃは、支持アームの回転とともに円の軌跡を描きながら作動するものであって、固定用天縦孔２４と支持アーム用横孔２５が設けられた軸基体２０の両方向に、先端が二股を呈する輪支持部２１が備えられ、この支持部に車軸２３で車輪２２を設けて形成される。
【実施例】
【００１１】  図面に示す実施例に基づき本考案を説明すると、本考案はＡで示される支持基体と、符号Ｂの支持アーム群、符号Ｃの円軌道体の主要な三つの部材から構成されている。以下各図面で説明する。【００１２】  図１は支持基体Ａとこれに取付けられる第一支持アームとを説明するもので、支持基体Ａは、逆おわん形状を呈する支持本体１と、その下端部全縁には本体１と一体的な鍔部２を備え、この鍔部２の下方には、設置床面と支持基体Ａとを係止固定する例えば吸盤のような固定盤３とで形成されていて、この固定盤３から上に位置する鍔部と支持本体１は回動自在な機能を有している。【００１３】  図２は前記支持基体Ａに一体的に取付けられ、該体Ａと一体で回動する支持アームＢ群を詳細に説明するもので、この支持アームＢはその長さを一定長の範囲内で自在に調節できることがその利用範囲を広げる事になることから、本考案では複数の支持アームを接続可能にしている。本実施例では第一の支持アーム１０を支持基体Ａの本体１に挿通していて、以下第二支持アーム１３、第三支持アーム１６、第四支持アーム１９と順々にこれに接続される。
したがって、其々の側面に１２，１４，１７と接続固定するために必要な固定用の孔が心要数貫設されているほか、上面の適宜所には固定用天孔１１，１５，１８も貫設されている。本考案の支持アームＢはアルミニュームの角パイプ材を用いて軽量化を図り取り扱いを容易にしている。【００１４】  図３は前記支持アームに取付けられる円軌道体Ｃを説明するもので、この円軌道体Ｃは先端方向の第四支持アームに一体的に取付けられ、支持アームの回転とともに円の軌跡を描きながら作動するものであって、固定用天縦孔２４と支持アーム用横孔２５が設けられた軸基体２０の両方向に、先端が二股を呈する輪支持部２１が備えられ、この支持部２１に車輪２２が車軸２３で設けて形成されている。【００１５】  図４は図３で説明の円軌道体Ｃの、固定用天縦孔２４と支持アーム用横孔２５をより分かり易く側面図で説明するものである。つまり、支持アーム用横孔２５に支持アームを挿通し、固定用天縦孔２４から固定具で係止固定するものである。【００１６】  図５は本考案のラインテープ貼り付け器の支持器の作動を説明するもので、回動自在な支持基体Ａに、一体的に取付けた支持アーム群Ｂは複数の支持アームを接続して長さ調節可能とし、該複数の支持アームの（最適には先端の第四支持アーム）両側端部に回動自在な輪を設けた円軌道体Ｃを、前記支持アームと同時に回動するように一体的に取り付け構成したものである。
本考案の支持器に取り付け使用される別考案品又は従来品のラインテープ貼り付け器は、ここでは図示を省略しているが、円軌道体Ｃが設けられた位置よりも先端に取付けられる。【００１７】  本考案は、例えば出願人の創作に係る前記意匠物品を適宜な手段で支持アーム先端に取り付けて使用することが可能であることは勿論だが、公知の他の物品、例えば特開２０００−１４８５９のような別体を取り付けて使用することも何ら差し支えない。
【産業上の利用可能性】
【００１８】  以上説明のように、本考案は出願人の考案・創作品に限定されずに適宜な取り付け手段を講じるだけで、公知のラインテープ貼り付け器をも綺麗で均一な円弧状ラインの表示描出が可能にするものであるから、その需要は数多く、且つ製造上の問題となる点も無いことから産業上の利用可能性は頗る高い。
【図面の簡単な説明】
【００１９】
【図１】  本考案を構成する主要な部材の二つ、支持基体Ａと支持アーム群Ｂとを説明する図である。
【図２】  支持アーム群Ｂを形成する各支持アームを説明する図で、ここでは４片の支持アームの実施例で説明している。
【図３】  本考案を構成するもう一つの主要な部材の円軌道体Ｃの説明図である。
【図４】  図３の円軌道体を側面図で説明する図である。
【図５】  本考案に係るラインテープ貼付け器の支持器の作動を平面図で説明する図である。
【符号の説明】
【００２０】Ａ支持基体    Ｂ支持アーム群    Ｃ円軌道体    １支持本体    ２鍔部    ３固定盤
１１第一支持アーム    １２，１４，１７固定用側孔    １３第二支持アーム
１５，１８固定用天孔    １６第三支持アーム    １９第四支持アーム    ２０軸基体
２１輪支持部    ２２輪    ２３車軸    ２４固定用天縦孔    ２５支持アーム用横孔
【図１】
0003120722.tif 000003
【図２】
0003120722.tif 000004
【図３】
0003120722.tif 000005
【図４】
0003120722.tif 000006
【図５】
0003120722.tif 000007